(57)【要約】【課題】浴槽洗浄用ノズルなどの流体器具と配管部材との接続部の薄型化を図り、狭小スペースへの設置などに適したものとすることが可能な流体器具配管接続構造を提供する。【解決手段】流体器具配管接続構造Ａは、流体器具１の継手用筒状部１２からその横幅方向へ張り出すように設けられ、かつ継手用筒状部１２の軸長方向に隙間９を隔てて相互に対向する第１および第２のストッパ壁部１３ａ，１３ｂを備え、配管部材２に装着される止め具３は、横幅方向に張り出す突出部３１を備え、この突出部３１は、隙間９に配されていることにより、継手用筒状部１２に対する止め具３の軸長方向への移動が規制される。【選択図】  図１
2020070811.tif 000002
【特許請求の範囲】
【請求項１】
継手用筒状部を有する流体器具と、
前記継手用筒状部に一端部が嵌合した状態で前記流体器具に接続される配管部材と、
この配管部材の外面部に装着され、前記配管部材の軸長方向への移動を規制する止め具と、
を備えている、流体器具配管接続構造であって、
前記流体器具の前記継手用筒状部からその横幅方向へ張り出すように設けられ、かつ前記継手用筒状部の軸長方向に隙間を隔てて相互に対向する第１および第２のストッパ壁部と、
前記止め具に前記横幅方向に張り出すように設けられ、かつ前記継手用筒状部に対する前記止め具の前記軸長方向への移動が規制されるように、前記第１および第２のストッパ壁部の相互間の前記隙間に配される突出部と、
をさらに備えていることを特徴とする、流体器具配管接続構造。
【請求項２】
請求項１に記載の流体器具配管接続構造であって、
前記第１および第２のストッパ壁部、ならびに前記止め具のそれぞれの縦幅は、前記継手用筒状部の縦幅以下とされている、流体器具配管接続構造。
【請求項３】
請求項１または２に記載の流体器具配管接続構造であって、
前記第１および第２のストッパ壁部として、前記継手用筒状部の前記横幅方向の両側に位置する左右一対ずつの第１および第２のストッパ壁部を備えており、
前記突出部として、前記止め具の前記横幅方向の両側に位置する左右一対の突出部を備えている、流体器具配管接続構造。
【請求項４】
請求項３に記載の流体器具配管接続構造であって、
前記一対ずつの第１および第２のストッパ壁部の上部または下部に設けられ、かつ前記止め具が前記配管部材周りに一定以上回転することを阻止するように、前記一対の突出部に当接可能な一対の第３のストッパ壁部を、さらに備えている、流体器具配管接続構造。
【請求項５】
請求項１ないし４のいずれかに記載の流体器具配管接続構造であって、
前記流体器具は、浴槽に取付けられ、かつこの浴槽に洗浄水を噴射するための浴槽洗浄用ノズル、またはその構成部品である、流体器具配管接続構造。
【発明の詳細な説明】
【技術分野】
【０００１】
本発明は、浴槽洗浄用ノズルなどの流体器具とホースなどの配管部材との接続を図るための流体器具配管接続構造に関する。
【背景技術】
【０００２】
本出願人は、浴槽の底部に取付けられて使用され、かつ浴槽の内側に向けて洗浄水を噴射することにより浴槽を洗浄するための浴槽洗浄用ノズルを提案している（特許文献１を参照）。このような浴槽洗浄用ノズルには、洗浄水を供給するための配管部材を抜け止め状態に接続する必要がある。その一方、浴槽洗浄用ノズルは、浴槽底部と、その下方と浴室床面との間に形成されているスペースに設置しなければならないが、このスペースは、上下高さ方向の幅がかなり狭い場合が多い。したがって、浴槽洗浄用ノズルと配管部材との接続部は、上下高さ方向にできる限り嵩張らないようにすることが要望される。
【０００３】
一方、従来においては、配管接続手段として、簡易な止め具を用いて抜け止めを図るものなど、種々の構造の継手が提案されている（たとえば、特許文献２〜４など）。
しかしながら、これら従来の継手は、いずれも配管部材の外周囲の全体にわたって嵩張ったものとなり易く、横幅のみならず、縦幅も比較的大きい構造となる。これでは、狭小スペースに設置する用途に余り適しない。
【先行技術文献】
【特許文献】
【０００４】
【特許文献１】特開２００８−２３７４３６号公報
【特許文献２】特開平１０−１８４５９８号公報
【特許文献３】特開２００１−１２６７２号公報
【特許文献４】特許第４２３１６７６号公報
【発明の概要】
【発明が解決しようとする課題】
【０００５】
本発明は、前記したような事情のもとで考え出されたものであり、浴槽洗浄用ノズルなどの流体器具と配管部材との接続部の薄型化を図り、狭小スペースへの設置などに適したものとすることが可能な流体器具配管接続構造を提供することを、その課題としている。
【課題を解決するための手段】
【０００６】
上記の課題を解決するため、本発明では、次の技術的手段を講じている。
【０００７】
本発明により提供される流体器具配管接続構造は、継手用筒状部を有する流体器具と、前記継手用筒状部に一端部が嵌合した状態で前記流体器具に接続される配管部材と、この配管部材の外面部に装着され、前記配管部材の軸長方向への移動を規制する止め具と、を備えている、流体器具配管接続構造であって、前記流体器具の前記継手用筒状部からその横幅方向へ張り出すように設けられ、かつ前記継手用筒状部の軸長方向に隙間を隔てて相互に対向する第１および第２のストッパ壁部と、前記止め具に前記横幅方向に張り出すように設けられ、かつ前記継手用筒状部に対する前記止め具の前記軸長方向への移動が規制されるように、前記第１および第２のストッパ壁部の相互間の前記隙間に配される突出部と、をさらに備えていることを特徴としている。
本発明において、前記流体器具は、浴槽に取付けられ、かつこの浴槽に洗浄水を噴射するための浴槽洗浄用ノズル、またはその構成部品である構成とすることができる。
【０００８】
このような構成によれば、流体器具に設けられた第１および第２のストッパ壁部と、止め具の突出部とが係合するため、流体器具と配管部材とを抜け止めなどが図られた適切な状態に接続できることに加え、次のような効果がさらに得られる。
流体器具の継手用筒状部に設けられた第１および第２のストッパ壁部は、継手用筒状部の横幅方向へ張り出しており、また止め具の突出部も、同様な方向に張り出した形態であって、前記第１および第２のストッパ壁部の相互間の隙間に配されている。このため、継手用筒状部および止め具の双方を、縦幅方向に嵩張らないものとすることができる。その結果、流体器具と配管部材との接続部全体の縦幅を小さくし、流体器具および配管部材を狭小スペースに設置するのに適したものとすることが可能である。
【０００９】
本発明において、好ましくは、前記第１および第２のストッパ壁部、ならびに前記止め具のそれぞれの縦幅は、前記継手用筒状部の縦幅以下とされている。
【００１０】
このような構成によれば、流体器具と配管部材との接続部において、第１および第２のストッパ壁部や止め具が、継手用筒状部の外周面よりも縦幅方向にはみ出した状態にはならないようにすることができる。したがって、流体器具と配管部材との接続部の縦幅を嵩張らないようにする上で、より好ましいものとなる。
【００１１】
本発明において、好ましくは、前記第１および第２のストッパ壁部として、前記継手用筒状部の前記横幅方向の両側に位置する左右一対ずつの第１および第２のストッパ壁部を備えており、前記突出部として、前記止め具の前記横幅方向の両側に位置する左右一対の突出部を備えている。
【００１２】
このような構成によれば、流体器具と配管部材との接続をより安定させたものとすることができる。すなわち、本発明では、流体器具の継手用筒状部の横幅方向の片側のみに張り出した第１および第２のストッパ壁部を設けた構成とし、全体をさらに小サイズ化することも可能であるものの、これでは左右のバランスがよいとは言えない。これに対し、前記構成によれば、第１および第２のストッパ壁部、および止め具の突出部が、左右一対ずつで設けられているため、左右のバランスをよくし、流体器具と配管部材との接続を安定させ、また強度を高めることもできる。
【００１３】
本発明において、好ましくは、前記一対ずつの第１および第２のストッパ壁部の上部または下部に設けられ、かつ前記止め具が前記配管部材周りに一定以上回転することを阻止するように、前記一対の突出部に当接可能な一対の第３のストッパ壁部を、さらに備えている。
【００１４】
このような構成によれば、次のような効果が得られる。
すなわち、止め具が配管部材周りに大きく回転した場合には、止め具の突出部が第１および第２のストッパ壁部の相互間の隙間から脱出し、流体器具と配管部材との抜け止め状態が解除される虞がある。これに対し、前記構成によれば、止め具が配管部材周りに大きく回転することを防止することができるために、前記した虞を適切に回避することが可能である。
【００１５】
本発明のその他の特徴および利点は、添付図面を参照して以下に行なう発明の実施の形態の説明から、より明らかになるであろう。
【図面の簡単な説明】
【００１６】
【図１】（ａ）は、本発明に係る流体器具配管接続構造の一例を示す要部側面断面図であり、（ｂ）は、（ａ）のIb−Ib断面図であり、（ｃ）は、（ｂ）の矢視Icの底面図である。
【図２】（ａ）は、図１に示す流体器具配管接続構造の要部分解斜視図であり、（ｂ）は、（ａ）をさらに分解した要部分解斜視図である。
【図３】（ａ）は、図１に示す流体器具配管接続構造に用いられている止め具の正面図であり、（ｂ）は、（ａ）のIIIb−IIIb断面図である。
【発明を実施するための形態】
【００１７】
以下、本発明の好ましい実施の形態について、図面を参照して具体的に説明する。
【００１８】
図１および図２に示す流体器具配管接続構造Ａは、本発明でいう「流体器具」の一例に相当する浴槽洗浄用ノズル１、この浴槽洗浄用ノズル１に洗浄水を供給するための配管部材２、および止め具３を具備している。本実施形態の流体器具配管接続構造Ａは、浴槽洗浄用ノズル１の接続構造として構成されている。
【００１９】
浴槽洗浄用ノズル１は、後述するノズル受け１１の構成を除き、特許文献１に記載されたもの同様な構成である。すなわち、この浴槽洗浄用ノズル１は、ノズル本体部１０がノズル受け１１に支持された構成であり、浴槽の底壁部８に取付けて使用される。配管部材２からノズル受け１１内に洗浄水が供給されてくると、この洗浄水は、ノズル本体部１０から浴槽の内面に向けて噴射され、このことにより浴槽の洗浄がなされる。
【００２０】
ノズル受け１１は、合成樹脂製であり、その一端側には、略水平方向に延びる継手用筒状部１２が一体形成されている。図１（ｃ）および図２によく表れているように、継手用筒状部１２の先端部には、左右一対ずつの第１ないし第３のストッパ壁部１３ａ〜１３ｃが設けられている。一対の第１のストッパ壁部１３ａは、継手用筒状部１２の外周面からノズル受け１１の横幅方向両側へ部分的に膨出した壁部である。一対の第２のストッパ壁部１３ｂは、一対の第１のストッパ壁部１３ａよりも継手用筒状部１２の先端側に隙間９を介して対面する壁部である。各第２のストッパ壁部１３ｂは、側壁部１４を介して各第１のストッパ壁部１３ａに繋がっており、これらは、図１（ｃ）に示すように、底面視略コ字状の形態に繋がっている。各第３のストッパ壁部１３ｃは、第１および第２のストッパ壁部１３ａ，１３ｂの上部どうしを部分的に繋ぐように設けられた壁部であり、隙間９の上側を閉塞している（図１（ｂ）を参照）。ただし、第３のストッパ壁部１３ｃは、第１および第２のストッパ壁部１３ａ，１３ｂの下部どうしを繋ぐように設けることも可能である。
【００２１】
配管部材２は、ホース２０の先端部に、補助管体２１が装着された構成である。補助管体２１は、シール用Ｏリング２２が装着され、かつ止め具３の係止装着用の環状凹溝２３が外周面に形成された部材である。この補助管体２１は、ホース２０の先端部に抜け止め状態に固定連結されているが、その手段としては、たとえばホース２０に外嵌されている薄手の金属製筒状部材２４をその半径方向に圧縮してカシメることにより、ホース２０の先端部を補助管体２１に圧接させるといった手段が採用されている。
配管部材２の補助管体２１の先端部は、浴槽洗浄用ノズル１（ノズル受け１１）の継手用筒状部１２に嵌入されている。
【００２２】
止め具３は、一定幅の帯状金属板に曲げ加工を施して形成されたものであり、図３に示すように、一部（上部）に開口部３０を有する正面視二股状の部材である。この止め具３は、その上下高さ方向略中央部が横幅方向両側に突出した正面視略く字状の一対の突出部３１を有している。図１（ａ），（ｂ）に示すように、この止め具３は、配管部材２の環状凹溝２３に、その一部分が係入するようにして配管部材２の外面部に装着されている。止め具３は、開口部３０の幅を拡縮可能とするバネ性をもつため、開口部３０の幅を広げるように一時的に変形させることにより、配管部材２の周囲を取り囲むように止め具３を装着することが可能である。また、このような止め具３の装着は、図２（ａ）に示すよう
に、配管部材２の先端部を浴槽洗浄用ノズル１の継手用筒状部１２に嵌入させた状態で行なう。第１および第２のストッパ壁部１３ａ，１３ｂの相互間の隙間９は、下部開口状であるため、この部分から止め具３を隙間９に進入させてから配管部材２の外面部に装着することが可能である。
【００２３】
図１（ｂ），（ｃ）によく表れているように、止め具３の突出部３１は、第１および第２のストッパ壁部１３ａ，１３ｂの相互間の隙間９に配されている。このことにより、止め具３は、継手用筒状部１２の軸長方向に変位することは規制される。図１（ｃ）において、配管部材２に抜け力Ｆが作用した場合には、突出部３１が第２のストッパ壁部１３ｂに当接するため、配管部材２が継手用筒状部１２から抜け外れることは適切に防止される。
【００２４】
図１（ｂ）によく表れているように、止め具３の突出部３１は、第３のストッパ壁部１３ｃに対して上下縦幅方向において対向しており、止め具３が矢印Ｎａで示すように、配管部材２の外周面周りに回転した際には、突出部３１が第３のストッパ壁部１３ｃに当接するように構成されている。このことにより、止め具３がそれ以上回転することは適切に阻止される。
第１および第２のストッパ壁部１３ａ，１３ｂの縦幅Ｌａ、および止め具３の縦幅Ｌｂは、継手用筒状部１２の外径Ｌｃ（縦幅）以下の寸法とされており、第１および第２のストッパ壁部１３ａ，１３ｂおよび止め具３は、継手用筒状部１２よりも上方または下方にはみ出した格好にはなっていない。
【００２５】
次に、前記した流体器具配管接続構造Ａの作用について説明する。
【００２６】
まず、図１（ｃ）を参照して説明したように、配管部材２に装着された止め具３の突出部３１が、第１および第２のストッパ壁部１３ａ，１３ｂの相互間に位置している構成により、配管部材２が継手用筒状部１２の軸長方向に不当に変位することは防止され、抜け止めなどが的確に図られた状態で配管部材２を浴槽洗浄用ノズル１に接続することが可能である。
【００２７】
第１および第２のストッパ壁部１３ａ，１３ｂは、横幅方向には嵩張っているものの、縦幅方向には嵩張っておらず、また止め具３も縦幅方向には嵩張っていない。本実施形態では、既述したように、それらの縦幅Ｌａ，Ｌｂは、継手用筒状部１２の外径Ｌｃ以下とされている。このため、配管部材２と浴槽洗浄用ノズル１との接続部の薄型化を徹底して図ることが可能である。図１（ａ）に示すように、配管部材２と浴槽洗浄用ノズル１との接続部は、浴槽の底壁部８とその下方に位置する浴室床面７との相互間の狭小スペースに配置されるが、このような狭小スペースに適切に配置することが可能である。なお、配管部材２と浴槽洗浄用ノズル１との接続部の横幅は、比較的大きくなるが、前記した浴槽の底壁部８と浴室床面７との相互間は、横幅方向にはかなり広さをもつため、前記接続部の横幅が大きいことは支障にはならない。
【００２８】
図１（ｂ）を参照して説明したように、止め具３が一定以上の大きな角度で矢印Ｎａ方向に回転することは第３のストッパ壁部１３ｃによって阻止される。止め具３が大きな角度で回転すると、突出部３１が第１および第２のストッパ壁部１３ａ，１３ｂの相互間の隙間９から脱出し、抜け止めなどが図られなくなる虞があるが、本実施形態によれば、そのような虞も適切に解消することが可能である。
【００２９】
本発明は、上述した実施形態の内容に限定されない。本発明に係る流体器具配管接続構造の各部の具体的な構成は、本発明の意図する範囲内において種々に設計変更自在である。
【００３０】
上述の実施形態においては、第１および第２のストッパ壁部１３ａ，１３ｂが、左右一対ずつ設けられているが、これに限定されず、それらを継手用筒状部１２の左側のみ、または右側のみに設けた構成とすることもできる。
本発明でいう流体器具は、浴槽洗浄用ノズルに限定されず、これ以外の流体器具とすることが可能である。また、配管部材の具体的な種類や構成も限定されない。
本発明でいう横幅方向は、継手用筒状部から第１および第２のストッパ壁部が張り出す方向である。上述の実施形態では、継手用筒状部の横幅方向が、水平方向となるように示されているが、これに限定されず、本発明に係る流体器具配管接続構造を実際に所定の場所に設置する場合には、たとえば継手用筒状部を傾けた姿勢に設定することも可能である。水平方向の幅が狭いスペースに、本発明に係る流体器具配管接続構造を設置する場合、上述した実施形態の流体器具配管接続構造を９０°回転させて、水平方向の幅が狭い状態に設置すればよい。
【符号の説明】
【００３１】
Ａ  流体器具配管接続構造
１  浴槽洗浄用ノズル（流体器具）
１２  継手用筒状部
１３ａ〜１３ｃ  第１ないし第３のストッパ壁部
２  配管部材
３  止め具
３１  突出部
９  隙間
【図１】
2020070811.tif 000003
【図２】
2020070811.tif 000004
【図３】
2020070811.tif 000005